(57)【要約】【課題】コネクタを構成するハウジングの中でＦＦＣ導体部の位置を安定させ、コネクタの電気的機能を十分発揮できるような、比較的単純な構造のコネクタを提供する。【解決手段】本発明のフレキシブルフラットケーブル接続用コネクタは、ケーブル先端に複数の導体部が独立して突出したＦＦＣを挿入ための雄コネクタハウジングと、ＦＦＣを雄コネクタハウジングに固定するリテーナからなり、雄コネクタハウジングに、ＦＦＣから露出した各導体を導入する溝が形成され、溝上部に各導体幅よりも狭い開放部を有する導体保持部を有する。【選択図】  図１
2007317581.tif 000002
【特許請求の範囲】
【請求項１】
ケーブル先端に複数の導体部が独立して突出したＦＦＣを挿入ための雄コネクタハウジングと、前記ＦＦＣを雄コネクタハウジングに固定するリテーナからなり、前記雄コネクタハウジングに、ＦＦＣから露出した各導体を導入する溝が形成され、溝上部に各導体幅よりも狭い開放部を有する導体保持部を有することを特徴とするフレキシブルフラットケーブル接続用コネクタ。
【請求項２】
前記雄コネクタハウジングの前記開放部は雌コネクタハウジングに設けられた導体部を前記雄コネクタハウジングの前記溝に導入されたＦＦＣの導体部に案内して接触させるように逆台形形状に形成されていることを特徴とする請求項１記載のフレキシブルフラット接続用コネクタ。
【請求項３】
前記ＦＦＣは段差部を持つように折り曲げられており、前記雄コネクタハウジングは前記ＦＦＣの前記段差部に当接する肩部を有し、前記リテーナは前記ＦＦＣの段差部に対応する段差部を有し、前記雄コネクタハウジングの肩部に前記ＦＦＣの前記段差部が当接して前記リテーナで保持されたとき、前記ＦＦＣの各導体部が前記雄コネクタハウジングの前記溝内の所定の位置に位置決めされることを特徴とする請求項１乃至２記載のフレキシブルフラットケーブル接続用コネクタ。
【発明の詳細な説明】
【技術分野】
【０００１】
本発明は、フレキシブルフラットケーブル（以下「ＦＦＣ」といい、フレキシブルプリント配線板（ＦＰＣ）を含む）を配線基板等に接続するためのコネクタに関し、特にＦＦＣの導体位置を安定させ接続信頼を向上させるコネクタ形状に関するものである。
【背景技術】
【０００２】
従来、フラットケーブル用のコネクタとしては特許文献１に記載されているように、一面に複数の保持溝を形成した絶縁樹脂材料からなるハウジングと、このハウジングの保持溝と対応する複数の保持溝を一面に形成した絶縁性樹脂材料からなるホルダとから構成されフラットケーブルを構成する複数の導体部をハウジングの保持溝とホルダの保持溝との間で挟んで保持する構造のコネクタが用いられていた（公開実用平１−１３２０７８）。
【０００３】
上記のコネクタでは、ハウジングとホルダの成型誤差により、ハウジングとホルダの間に隙間が空き、導体部が保持溝からはずれてハウジングとホルダの隙間に入り込み、その結果、隣接する導体部同士が接触してしまうという問題があった。
【０００４】
上記問題を解決するために、特開２００２−２８０１０３に記載されているような、導体部を一本ずつ挿通させる複数の導体部保持孔を形成した合成樹脂製のハウジングと、フラットケーブルの被覆部分を前記ハウジングと挟んで保持する被覆保持手段を有する構造のコネクタが提案されている。
【特許文献１】公開実用平１−１３２０７８
【特許文献２】特開２００２−２８０１０３
【発明の開示】
【発明が解決しようとする課題】
【０００５】
特開２００２−２８０１０３号の発明では、導体部が全て孔で被われているわけではなく、先端部は、雌型コネクタ側の接点と接続するために上面が開放された溝状態になっている。このままでは、溝部の導体が浮き上がって隣の導体部と接触する可能性がある。それを防止するため、導体部先端も固定手段を用いて固定する必要があり、部品点数が多く製造コストがかかってしまうという問題点がある。
【０００６】
また、上記のコネクタでは、露出した導体部はコネクタの接点の為、位置ずれを少なくし電気的に安定させることも課題である。
【０００７】
したがって、本発明の目的は、コネクタを構成するハウジングの中でＦＦＣ導体部の位置を安定させ、コネクタの電気的機能を十分発揮できるような、比較的単純な構造のコネクタを提供することにある。
【課題を解決するための手段】
【０００８】
上記の課題を解決するために、本発明のフレキシブルフラットケーブル接続用コネクタは、ケーブル先端に複数の導体部が独立して突出したＦＦＣを挿入するための雄コネクタハウジングと、前記ＦＦＣを雄コネクタハウジングに固定するリテーナからなり、前記雄コネクタハウジングに、ＦＦＣから露出した各導体を導入する溝が形成され、溝上部に各導体幅よりも狭い開放部を有する導体保持部を有することを特徴とする。
【発明の効果】
【０００９】
本発明によると、雄コネクタハウジングに、ＦＦＣから露出した各導体に対応する溝が形成され、溝上部に各導体幅よりも狭い開放部を有する導体保持部を有することより、ＦＦＣ導体部の位置ずれがない安価なフレキシブルフラットケーブル接続用コネクタを提供することができる。
【発明を実施するための最良の形態】
【００１０】
本発明の実施例を、図面を用いて説明する。
（実施例１）
図１は、本発明の実施例１のフレキシブルフラットケーブル接続用コネクタの部品である雄コネクタハウジング、ＦＦＣ及びリテーナの組立前の状態を示す斜視図である。  図１において、１は樹脂を射出成形した雄コネクタハウジングを示し、２は射出成形により形成されたリテーナを示し、３は導体を被覆する可撓性樹脂から形成されたＦＦＣを示す。
【００１１】
なお、１ａは雄コネクタハウジング本体（以下、雄ハウジング本体という）を示し、２ａはリテーナ本体を示し、２ｂは段差部を示し、２ｃ、２ｄは雄ハウジング本体１ａにリテーナ本体２ａを保持するための弾性変形部、フック部分を示す。リテーナ本体２ａが雄ハウジング本体１ａに挿入されるとき、弾性変形部２ｃが内側に変形し、フック２ｄが雄ハウジング本体１ａの内部空間（図１には図示せず）内の対応フック部分（図示せず）に係合し、リテーナ本体２ａは雄ハウジング本体１ａに保持される。なお、リテーナ本体２ａの保持は、例えば、リテーナ本体２ａを雄ハウジング本体１ａの内部空間より僅かに大きく作成し圧ばめしてもよい。
【００１２】
ＦＦＣ３は段差部３ｃが設けられたＦＦＣ本体３ａとＦＦＣ本体３ａから独立して突出した、平坦な導体部（コネクタの接点となる）３ｂからなる。導体部３ｂは、被覆している樹脂の部分を剥ぎ取ることによって露出される。
【００１３】
なお、雄ハウジング本体１ａの内部空間に設けられた肩部（図１には図示せず）、リテーナ本体２ａの段差部２ｂ、ＦＦＣ本体３ａの段差部３ｃの機能については、図２を参照して後述する。
【００１４】
図２は、本発明の雄コネクタハウジング１にＦＦＣ３を組み付けてリテーナ２で保持する過程を説明するための断面図であり、図２ａは組立前の状態を示す断面図であり、図２ｂは雄コネクタハウジング１にＦＦＣ３を組み付けた状態を示す断面図であり、図２ｃは雄コネクタハウジング１にＦＦＣ３を組み付けて、さらにリテーナ２で保持した状態（雄コネクタハウジング完成状態）を示す断面図であり、図２ｄは雄コネクタハウジング１と雌コネクタハウジング４の嵌合状態を示す断面図である。
【００１５】
図２ａにおいて、雄コネクタハウジング１の雄ハウジング本体１ａには、ＦＦＣ本体３ａ、リテーナ本体２ａが挿入される内部空間１ｄが形成されており、この内部空間１ｄ内にはＦＦＣ本体３ａの段差部３ｃに当接する肩部１ｂが形成されている。組立は、最初に、雄ハウジング本体１ａの内部空間１ｄに矢印で示すようにＦＦＣ本体３ａを挿入することにより行なわれる。
【００１６】
雄ハウジング本体１ａの内部空間１ｄへのＦＦＣ本体３ａの挿入が完了したとき、図２ｂに示す状態になる。すなわち、雄ハウジング本体１ａの肩部１ｂにＦＦＣ本体３ａの段差部３ｃが当接し、雄ハウジング本体１ａの溝１ｃ（図３も参照）にＦＦＣの導体部３ｂが挿入された状態となる。そして、肩部１ｂと段差部３ｃの当接により、導体部３ｂの溝１ｃ内への挿入量が決められる（すなわち、導体部３ｂの溝１ｃに対する位置決めがなされる）。次に、矢印に示すように、さらに、リテーナ２が、その段差部２ｂがＦＦＣ本体３ａの段差部３ｃに当接するまで、雄ハウジング本体１ａの内部空間１ｄ内に挿入されて、図１に関連して説明したようにリテーナ２は保持される（雄ハウジング本体１ａに対して固定される）。図２ｃはリテーナ２が挿入されて固定された状態、すなわち、雄コネクタハウジング１の完成状態を示す。
【００１７】
なお、図２ｄは、前述のように完成した雄コネクタハウジング１と雌コネクタハウジング４の嵌合状態を示すものであり、詳細には、図４を参照して後述する。
【００１８】
図３は、ＦＦＣ３の導体部３ｂが雄ハウジング本体１ａの溝１ｃに挿入されている様子を示す断面図である。図３において、雄ハウジング本体１ａの溝１ｃ部にＦＦＣ３の導体部３ｂが挿入されている。溝１ｃの上部には開口されて、逆台形状の開放部１ｅが形成されており、開放部１ｅの下端は導体部３ｂの幅よりも若干狭くなっている。このため、溝上部に載った導体部は溝１ｃから浮き上がらない。
【００１９】
開放部１ｅの断面形状は矩形でも構わないが、図示するように逆台形形状にすると、雌側コネクタ（雌コネクタハウジング）４と雄側コネクタ（雄コネクタハウジング）１の接続時に両者の位置が多少ずれていても、逆台形状の両側の傾斜面のいずれかによって雌側コネクタ４の導体部（接点）４ｂ（図３には図示せず）が案内され、雄側コネクタ１の導体部（接点）３ｂからずれることなく接触する。
【００２０】
また、溝部１ｃの底面は平面でも良いが、一部凸面形状とすることにより、雄側コネクタ１の射出成型時の金型強度を確保することができる。
【００２１】
図４は、雄側コネクタ１と雌側コネクタ４との嵌合状態を示す断面図であり、図４ａは図４ｂの線Ｘ−Ｘに沿った断面図であり、図４ｂは雄側コネクタ１と雌側コネクタ４との嵌合状態を示す断面図である。
【００２２】
図４ｂにおいて、雌側コネクタ４は、雌コネクタハウジング本体（以下、雌ハウジング本体という）４ａを有し、雌側コネクタ４には弾性変形可能な導体部（接点）４ｂが設けられており、さらに、雄側コネクタ１との嵌合時に雌側コネクタハウジング本体４ａを雄ハウジング本体１ａに保持するためのフック４ｃと、雄ハウジング本体１ａの先端部分１ｆと当接する突起部４ｄが設けられており、雌ハウジング本体４ａの上部の部分４ｅは雄ハウジング本体１ａの上部先端部分１ｇと当接するようになっている。
【００２３】
一方、雄側コネクタ１は、支点１ｊ（概略的に、点線の丸で示す）を中心として弾性変形する弾性変形部１ｈを有し、この弾性変形部１ｈにはコネクタ嵌合時に下方に押し下げられる突起部１ｋと、コネクタ引き抜き時に使用する押し上げ部１ｉが設けられている。雄側コネクタ１を雌側コネクタ４に嵌合するとき、雄側コネクタ１を雌側コネクタ４に対して矢印Ａで示すように動かすと、その過程で雄ハウジング本体１ａの突起部１ｋが雌ハウジング本体４ａのフック４ｃに載り、このとき、弾性変形部１ｈは突起部１ｋが下方に押し下げられるように変形する。そして、突起部１ｋがフック４ｃを乗り越えたとき、または先端部分１ｆが突起部４ｄに当接したとき、嵌合が完了し、図４に示す状態になる。
【００２４】
嵌合完了時には、雄ハウジング本体１ａは雌ハウジング本体４ａに対して下方に押された状態で保持されており、このため、雌側コネクタ４の弾性変形可能な導体部４ｂがＦＦＣ３の導体部３ｂに確実に接触した状態になる。
【００２５】
雄側コネクタ１を雌側コネクタ４から引き抜くときは、矢印Ｂに示すように、押し上げ部１ｉを押し上げると、弾性変形部１ｈの突起部１ｋが下方に動かされて、フック４ｃとの係合が外される。この状態で、矢印Ｃの方向に雄側コネクタ１を引き抜くことによって嵌合が解除される。
【図面の簡単な説明】
【００２６】
【図１】本発明の実施例１のフレキシブルフラットケーブル接続用コネクタの部品である雄コネクタハウジング、ＦＦＣ及びリテーナの組立前の状態を示す斜視図である。
【図２】本発明の雄コネクタハウジングにＦＦＣを組み付けてリテーナで保持する過程を説明するための断面図であり、図２ａは組立前の状態を示す断面図であり、図２ｂは雄コネクタハウジングにＦＦＣを組み付けた状態を示す断面図であり、図２は雄コネクタハウジングにＦＦＣを組み付けて、さらにリテーナで保持した状態（雄コネクタハウジング完成状態）を示す断面図であり、図２ｄは雄コネクタハウジングと雌コネクタハウジングの嵌合状態を示す断面図である。
【図３】ＦＦＣの導体部が雄ハウジング本体の溝に挿入されている様子を示す断面図である。
【図４】雄側コネクタと雌側コネクタとの嵌合状態を示す断面図であり、図４ａは図４ｂの線Ｘ−Ｘに沿った断面図であり、図４ｂは雄側コネクタと雌側コネクタとの嵌合状態を示す断面図である。
【符号の説明】
【００２７】
１    雄コネクタハウジング（雄側コネクタ）
１ａ  雄ハウジング本体
１ｂ  肩部
１ｃ  溝
１ｄ  内部空間
１ｅ  開放部
１ｆ  先端部分
１ｇ  上部先端部分
１ｈ  弾性変形部
１ｉ  押し上げ部
１ｊ  支点
１ｋ  突起部
２    リテーナ
２ａ  リテーナ本体
２ｂ  段差部
２ｃ  弾性変形部
２ｄ  フック部分
３    ＦＦＣ
３ａ  ＦＦＣ本体
３ｂ  導体部（接点）
３ｃ  段差部
４    雌コネクタハウジング（雌側コネクタ）
４ａ  雌ハウジング本体
４ｂ  導体部（接点）
４ｃ  フック
４ｄ  突起部
４ａ  上部の部分
【図１】
2007317581.tif 000003
【図２】
2007317581.tif 000004
【図３】
2007317581.tif 000005
【図４】
2007317581.tif 000006